(57)【要約】【課題】収納家具として使用するときに、ベッドとしての使用時に使用していた構成体を利用して背面側を重くして正面側へ倒れにくいように安定性を付与することができ、地震対策用の収納家具としての機能性を向上させて、より安全性の高いベッド家具を提供する。【解決手段】ベッド家具は、単体で収納家具としての使用が可能でベッドの台部となる収納体(1)と、収納体(1)の上面側に設けられている上面側収容部と、下面側に設けられている下面側収容部(120)と、ベッドとしての使用時には、上面側収容部に収容され、収納家具としての使用時には、おもりとして下面側収容部(120)に収容される複数の床板(2)とを備えている。各床板(2)を収容する下面側収容部(120)は、ベッドとしての使用時に板体(2)による荷重がかかる接地部となる部材（112,113,114,115,118）で複数に区画されて形成されている。【選択図】図４
2008259587.tif 000002
【特許請求の範囲】
【請求項１】
単体で収納家具としての使用が可能で、ベッドとしての使用時には台部となる収納体(1)と、
該収納体(1,1b)のうち収納体(1,1b)を横に倒したときの上面側に設けられている上面側収容部(129,129b)と、
前記収納体(1,1b)のうち収納体(1,1b)を横に倒したときの下面側に設けられている下面側収容部(120,120b)と、
ベッドとしての使用時には、受部として前記上面側収容部(129,129b)に収容され、収納家具としての使用時には、おもりとして前記下面側収容部(120,120b)に収容される受部材(2,3)と、
を備えている、ベッド家具。
【請求項２】
受部材が複数の分離した板体(2)で構成されており、該各板体(2)を収容する下面側収容部(120)は、ベッドとしての使用時に板体(2)による荷重がかかる接地部となる接地部材(112,113,114,115,116,117,118)で複数に区画されて形成されている、
請求項１のベッド家具。
【請求項３】
受部材が一枚の畳(3)で構成されており、該畳(3)を収容する下面側収容部(120b)には、ベッドとしての使用時に畳(3)による荷重がかかる接地部となり、収納家具としての使用時には下面側収容部(120b)に収容された畳(3)を止める部材として付け替えることができる接地部材(101)が着脱可能に設けられている、
請求項１のベッド家具。
【発明の詳細な説明】
【技術分野】
【０００１】
本発明は、ベッド家具に関するものである。更に詳しくは、ベッドの台部が収納家具と同等の構造を有しており、ベッドとして使用しなくなった場合には、台部を収納家具として使用することができるものであって、収納家具として使用するときに、ベッドとしての使用時に使用していた構成体を利用して背面側を重くし正面側へ倒れにくいように安定性を付与することができ、地震対策用の収納家具としての機能性が向上し、より安全性の高いものに関する。
【背景技術】
【０００２】
一般に、ベッドは床に置かれたまま長期にわたり使用されるものである。しかし、使用者の生活スタイルが変化すると、それに伴い、占有スペースの大きなベッドが不要になったり、違うベッドに買い換えるなど、ベッドを何らかの形で処分しなければならなくなることもある。ベッドを使用しなくなったときに、他のものに転用できるようにしたものの一例として、例えば特許文献１記載の「タンスに組替できるベッド」がある。
【０００３】
このベッドは、収納箱を二個互いに背面合わせとし、合わせ面の上辺をヒンジで連結したものの両端面に、収容箱の上方に突出する壁板を縦方向の中央で二つ割とし、ヒンジで連結したものの半分を当てて、取付ネジで止めることによりベッドを構成し、この壁板を取り外して中央分割部で折り畳み、片方の収納箱を折り曲げて他方の収納箱に重ねることで正面を揃え、両端面に二つ折りの壁板を当てて取付ネジで収納箱に取り付けた後、縦に起こしてタンスにするというものである。
【特許文献１】実開昭５７−１７１７６４
【発明の開示】
【発明が解決しようとする課題】
【０００４】
前記特許文献１に記載されたベッドは、使用しなくなったベッドをタンスとして転用でき、無駄を出さない点では有用である。しかしながら、タンスとして組むときに壁板を収納箱の天部にも取り付ける構造は、重心がその分高くなるので、タンスを設置したときの安定性を損なう。このため、近年急速に関心が高まっている地震対策用の家具としての観点からは、あまり好ましくない。
【０００５】
そこで、本発明の目的は、ベッドの台部が収納家具と同等の構造を有しており、ベッドとして使用しなくなった場合には、台部を収納家具として使用することができるベッド家具において、収納家具として使用するときに、ベッドとしての使用時に使用していた構成体を利用して背面側を重くして正面側へ倒れにくいように安定性を付与することができ、地震対策用の収納家具としての機能性を向上させて、より安全性の高いベッド家具を提供することである。
【課題を解決するための手段】
【０００６】
上記課題を解決するために本発明が講じた手段は次のとおりである。
本発明は、
単体で収納家具としての使用が可能で、ベッドとしての使用時には台部となる収納体と、
該収納体のうち収納体を横に倒したときの上面側に設けられている上面側収容部と、
前記収納体のうち収納体を横に倒したときの下面側に設けられている下面側収容部と、
ベッドとしての使用時には、受部として前記上面側収容部に収容され、収納家具としての使用時には、おもりとして前記下面側収容部に収容される受部材と、
を備えている、ベッド家具である。
【０００７】
本発明のベッド家具は、受部材が複数の分離した板体で構成されており、該各板体を収容する下面側収容部は、ベッドとしての使用時に板体による荷重がかかる接地部となる接地部材で複数に区画されて形成されているのが好ましい。
【０００８】
また、本発明のベッド家具は、受部材が一枚の畳で構成されており、該畳を収容する下面側収容部には、ベッドとしての使用時に畳による荷重がかかる接地部となり、収納家具としての使用時には下面側収容部に収容された畳を止める部材として付け替えることができる接地部材が着脱可能に設けられているのが好ましい。
【０００９】
（作用）
本発明に係るベッド家具の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１０】
ベッド家具をベッドとして使用するときは、収納体(1,1b)を横に倒した状態で床に設置し、収納体(1,1b)の上面側収容部(129,129b)に受部材(2,3)を収容した状態で、その上にマットレスや布団を敷くようにする。そして、使用者の生活スタイルが変化し、例えば占有スペースの大きなベッドが不要になったときには、ベッド家具を収納家具として転用する。その際は、まず上面側収容部(129,129b)に収容されている受部材(2,3)を取り外す（または取り出す）。
【００１１】
次に、収納体(1,1b)を起こして、前記取り外した受部材(2,3)を下面側収容部(120,120b)に収容する。受部材(2,3)は必要に応じて下面側収容部(120,120b)に固定する。なお、前記上面側収容部(129,129b)は、収納家具として使用される収納体(1,1b)の正面側になり、下面側収容部(120,120b)は、収納体(1,1b)の背面側になる。
このように形成された収納家具(10,10b)は、ベッドとしての使用時に使用していた構成体である受部材(2,3)を利用して、背面側を重くすることができるので、収納家具(10,10b)に対して正面側へ倒れにくいように安定性を付与することができ、地震対策用の収納家具としての機能性が向上しており、より安全性が高い。
【００１２】
受部材が複数の分離した板体(2)で構成されており、該各板体(2)を収容する下面側収容部(120)が、ベッドとしての使用時に板体(2)による荷重がかかる接地部となる接地部材(112,113,114,115,116,117,118)で複数に区画されて形成されているベッド家具は、収納家具(10)としての使用時に、各板体(2)を下面側収容部(120)に収容する際に接地部材が邪魔にならないので、接地部材の付け替えなどの余分な操作が不要である。
【００１３】
また、受部材が一枚の畳(3)で構成されており、該畳(3)を収容する下面側収容部(120b)には、ベッドとしての使用時に畳(3)による荷重がかかる接地部となり、収納家具(10b)としての使用時には下面側収容部(120b)に収容された畳(3)を止める部材として付け替えることができる接地部材(101)が着脱可能に設けられているベッド家具は、接地部材(101)を畳(3)を止める部材として取り付けたときには、接地部材(101)が収納家具(10b)の背面から突出し、設置部の壁面とのスペーサとなり、背面側の通気性を確保した設置が簡単にできる。
【発明の効果】
【００１４】
本発明は、ベッド家具をベッドとして使用するときは、収納体を横に倒した状態で床に設置し、収納体の上面側収容部に受部材を収容した状態で、その上にマットレスや布団を敷いて使用でき、使用者の生活スタイルが変化し、例えば占有スペースの大きなベッドが不要になったときには、上面側収容部に収容されている受部材を取り外し、収納体を起こして、受部材を下面側収容部つまり収納家具としては背面となる側に収容する。このように形成された収納家具は、ベッドとしての使用時に使用していた構成体である受部材を利用して、背面側を重くすることができるので、収納家具に対して正面側へ倒れにくいように安定性を付与することができ、地震対策用の収納家具としての機能性が向上しており、より安全である。
【発明を実施するための最良の形態】
【００１５】
本発明を図に示した実施例に基づき詳細に説明する。
【実施例１】
【００１６】
図１は本発明に係るベッド家具の第１実施形態を示す一部分解斜視図、
図２は図１に示すベッド家具の床板を外した状態を示す斜視図、
図３はベッド家具の収納家具としての使用状態を示す正面側斜視図、
図４はベッド家具の収納家具としての使用状態を示す背面側一部分解斜視図、
図５はベッド家具の組立構造を示す分解斜視図である。
【００１７】
ベッド家具Ｂ１は、ベッドとしての使用時にはベッドの台部となる収納体１と、受部材を構成する四枚の床板２を備えている。床板２の枚数は特に限定せず、単数または複数に適宜設定できる。
収納体１は、多数の棚板を有する収納家具（例えば本棚）としての単体での使用が可能な構造となっている。また、収納体１は、二本の棚箱１１、１２、及びヘッドボード１３、１３ａ、フットボード１４を適宜組み合わせて構成されており、設置場所への搬入時など、必要なときに分解と組み立てが可能である（図５参照）。
【００１８】
本実施の形態では、ヘッドボードは大小のヘッドボード１３、１３ａが設定されており（大：図１、図２参照、小：図３〜図５参照）、それらを場合により付け替えるが、どちらか一方だけを採用してもよい。なお、収納体１を構成する各部材はチップボードで形成されているが、これに限定されるものではなく、例えば無垢板や合成樹脂板など、他の材料で形成することもできる。
【００１９】
収納体１の構造を詳しく説明する。前記二本の棚箱１１、１２の構造は、図５においてほぼ左右対称構造である。棚箱１１、１２の構造は、右側に示した棚箱１１で説明し、棚箱１２については、棚箱１１と異なる部分についてのみ説明する。なお、棚箱１２の各部には、棚箱１１と同等箇所に同じ符号を付して示している。
【００２０】
棚箱１１は、長手方向の両側に平行に設けられている長方形状の外板１１１と内板１１２を有している。外板１１１と内板１１２の長手方向の両端には、長方形状の上板１１３と下板１１４が互いに平行になるように固定されている。外板１１１の内面側には、接地部材である接地板１１５がネジ着や接着により取り付けられている。
【００２１】
接地板１１５の正面側（図５で見えている側）の端面部は、前記外板１１１及び上板１１３と下板１１４より一段奥に設定されており、前記内板１１２と同じである。また、内板１１２と接地板１１５の間には、長手方向の両端には端板１１６、１１７が固定されている。端板１１６、１１７の正面側の端面部は、内板１１２と接地板１１５の端面部と面一になっている。また、内板１１２と接地板１１５の間の中間には、棚板１１８が固定されている。
【００２２】
前記内板１１２、上板１１３、下板１１４、端板１１６、１１７及び棚板１１８は、接地板１１５と同様に接地部材を構成する。これら各接地部材の背面側（図４で見えている側）の端面部は、前記外板１１１の端面部と面一になっており、これら各端面部はベッド家具Ｂ１をベッドとして使用するときの接地面となる。
【００２３】
また、棚箱１１の背面側の端面部（接地面）寄りには、内板１１２、接地板１１５、端板１１６、１１７及び棚板１１８で囲まれた二箇所に背面板１１９が嵌め込まれている。背面板１１９の取付構造は、背面板１１９を囲んでいる所要の板に設けられた溝に端辺部を入れる構造である。そして、背面板１１９より外側で前記内板１１２、接地板１１５、端板１１６、１１７及び棚板１１８で区画された二箇所の凹部（空間部）が下面側収容部１２０となっている。
【００２４】
各背面板１１９の前面側（図５で見える側）のうち、端板１１６の下面側、棚板１１８の上下面側及び端板１１７の上面側には、収納空間の全幅にわたり断面四角形の補強部材１２１が固着されている。補強部材１２１の中間には、背面板１１９に設けられた貫通孔１２２の位置に合わせてナット状のネジ込具１２３が埋め込まれている。ネジ込具１２３には、後述する床板２を下面側収容部１２０に収容し取り付ける際にネジ止めするためのものである。
【００２５】
内板１１２の上下端部よりのそれぞれ二箇所及び棚板１１８のやや下方正面側の合計五箇所には、ネジ止めのための貫通孔１２４が設けられている。
なお、収納体１の組み合わせ時において、棚箱１１の内板１１２と対向する棚箱１２の内板１１２には、外面側にナット状のネジ込具１２５が埋め込まれている。棚箱１１、１２の構造が異なるところは、この点と、互いに対称構造であることである。
【００２６】
端板１１６と棚板１１８の間、及び棚板１１８と端板１１７の間には、それぞれ等間隔で二段の棚板１２６が着脱可能に設けられている。なお、各棚板１２６は、ベッドとしての使用時には、倒れないように固定具（図示省略）によって仮止めされている。
また、端板１１６と上板１１３、及び端板１１７と下板１１４には、それぞれを貫通して、ヘッドボード１３、１３ａ及びフットボード１４取付用のネジ止めのための貫通孔１２７がそれぞれ二箇所に設けられている。ヘッドボード１３、１３ａ及びフットボード１４の取付面側には、ナット状のネジ込具１２８が埋め込まれている。
【００２７】
収納体１は、前記棚箱１１、１２を図５に示すように内板１１２を合わせてネジ止めし、さらにヘッドボード１３（または、１３ａ）及びフットボード１４をネジ止めして組合せて形成する。そして、各外板１１１、各上板１１３及び各下板１１４の正面側の端面部より一段奥に設定された各接地板１１５、各内板１１２、各端板１１６、各端板１１７及び各棚板１１８、１２６の正面側の端面部までの凹部（空間部）が上面側収容部１２９となっている。
【００２８】
上面側収容部１２９には、四枚の床板２が上面が外板１１１の正面側の端面部と面一になるように収容されている。床板２は、桐材で形成されており、四箇所に通気孔２１が設けられている。床板２の素材は、収納家具として使用するときの安定性を重視すれば重い方がよいので、より比重が大きい他の種類の木材を採用してもよい。
また、床板２の長手方向両端寄りの中央には、床板２を下面側収容部１２０に収容し固定する際にネジ止めをするための貫通孔２２が設けられている。なお、各床板２は、背面側の各下面側収容部１２０にほぼ隙間なく、ちょうど収まる大きさに設定されている。
【００２９】
（作用）
図１ないし図５を参照してベッド家具Ｂ１の作用を説明する。
ベッド家具Ｂ１をベッドとして使用するときは、収納体１を横に倒した状態で床に設置し、収納体１の上面側収容部１２９に四枚の床板２を並べて収容した状態で、その上にマットレスや布団を敷くようにする。なお、ベッドとしての使用時には、大きなヘッドボード１３ａを取り付けている。
そして、使用者の生活スタイルが変化し、例えば占有スペースの大きなベッド家具Ｂ１が不要になったときには、ベッド家具Ｂ１を収納家具として転用する。
【００３０】
収納家具としての転用は次のように行う。
まず、上面側収容部１２９に収容されている各床板２を取り外す。また、大きなヘッドボード１３ａを小さなヘッドボード１３に付け替える。
次に、収納体１を起こして、前記取り外した各床板２を四箇所に設けられている下面側収容部１２０に収容し、それぞれ背面板１１９の背面側にネジ着する。
【００３１】
このように形成された収納家具１０（図３、図４参照）は、ベッドとしての使用時に使用していた構成体である各床板２を利用して、収納体１の背面側を重くすることができるので、収納家具１０に対して正面側へ倒れにくいように安定性を付与することができる。これにより、収納家具１０は、地震対策用の収納家具としての機能性が向上しており、より安全性が高い。また、再びベッドとして使用する場合は、前記手順とほぼ逆の手順で簡単にベッドに戻すことができる。
【実施例２】
【００３２】
図６は本発明に係るベッド家具の第２実施形態を示す一部分解斜視図、
図７は図６に示すベッド家具の底面側斜視図、
図８は図６に示すベッド家具の収納家具としての使用状態を示す背面側斜視図である。
なお、本実施の形態では、図面において前記ベッド家具Ｂ１と同等箇所に同一符号を付して示し、構造について重複する説明は基本的に省略する。
【００３３】
ベッド家具Ｂ２は、収納体１ｂと畳３を備えている。収納体１ｂは、棚箱１１ｂ、１２ｂ及びヘッドボード１３ｂ、フットボード１４ｂで構成されている。
収納体１ｂは、下面側（背面側）の構造以外は、前記ベッド家具Ｂ１の収納体１とほぼ同様の構造を有している。なお、受部材として畳３を使用するので、上面側収容部１２９ｂは、前記ベッド家具Ｂ１の上面側収容部１２９よりやや深くなるように形成されている。
【００３４】
畳３は、上面側収容部１２９ｂに収容されることにより、その上面が外板１１１の正面側の端面部と面一になる。また、ヘッドボード１３ｂ及びフットボード１４ｂの上部側の端面部は、上板１１３、下板１１４の正面側の端面部から突出せず面一になるように形成されているが、突出させてもよい。
【００３５】
収納体１ｂの下面側の構造を説明する。
収納体１ｂの各外板１１１、各上板１１３及び各下板１１４の下面側の端面部より一段奥に設定された各接地板１１５、各内板１１２、各端板１１６、各端板１１７及び各棚板１１８、１２６の下面側の端面部までの凹部（空間部）が下面側収容部１２０ｂとなっている。
【００３６】
下面側収容部１２０ｂの深さは、使用する畳３の外面（通常は裏面）が接地板１１５の端面部と面一となって収容できるように設定されている。なお、畳３を下面側収容部１２０ｂに収容したときには、畳３の内面（通常は表面）と背面板１１９との間に空間が形成され、通気を助けて黴の発生を防止するようにしている。
【００３７】
各外板１１１の内面側と各上板１１３の内面側及び各下板１１４の内面側には、接地部材である脚板１０１、１０２が着脱できるようにネジ着されている。各外板１１１の内面側に取り付けられている脚板１０１は、下面側収容部１２０ｂの深さと同じ幅を有し、厚さは接地板１１５と同じ厚さを有している。各脚板１０１の長さは、収納体１ｂの幅（両外板１１１の外面と外面の間の長さ）に設定されている。
【００３８】
各上板１１３の内面側及び各下板１１４の内面側にそれぞれ取り付けられている脚板１０２は、下面側収容部１２０ｂの深さと同じ幅を有し、厚さは上板１１３及び下板１１４と同じ厚さを有している。このように、前記各脚板１０１、１０２は、各外板１１１、各上板１１３及び各下板１１４の下面側の端面部に当たることにより、これらにかかる荷重を支えることができる。
なお、各外板１１１の下面側の端面部の二箇所には、前記脚板１０１をネジ止めするためのナット状のネジ込具１０３が埋め込まれている。
【００３９】
（作用）
ベッド家具Ｂ２を収納家具として使用するときは、まず、上面側収容部１２９ｂから畳３を取り外す。次に、収納体１ｂを立て、下面側収容部１２０ｂから各脚板１０１、１０２（それぞれ二本、合計四本）を取り外し、短い方の二本の脚板１０２は、天板となっているヘッドボード１３ｂの上面に載置または取付具（図示省略）により取り付ける（図８参照）。
【００４０】
畳３を裏面側が外面となるように下面側収容部１２０ｂに収容する。そして、前記長い方の二本の脚板１０１を、畳３を止めるように（または押さえるように）各外板１１１の背面側に架け渡してネジ着する。また、これにより、各脚板１０１が収納家具１０ｂの背面の各外板１１１の端面部から突出し、設置部の壁面とのスペーサとなり、背面側の通気性を確保した設置が簡単にできる。
【００４１】
このように形成された収納家具１０ｂ（図８参照）は、ベッドとしての使用時に使用していた構成体である畳３を利用して、収納体１ｂの背面側を重くすることができるので、収納家具１０ｂに対して正面側へ倒れにくいように安定性を付与することができる。これにより、収納家具１０ｂは、地震対策用の収納家具としての機能性が向上しており、より安全性が高い。また、再びベッドとして使用する場合は、前記手順とほぼ逆の手順で簡単にベッドに戻すことができる。
【００４２】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４３】
【図１】本発明に係るベッド家具の第１実施形態を示す一部分解斜視図。
【図２】図１に示すベッド家具の床板を外した状態を示す斜視図。
【図３】ベッド家具の収納家具としての使用状態を示す正面側斜視図。
【図４】ベッド家具の収納家具としての使用状態を示す背面側一部分解斜視図。
【図５】ベッド家具の組立構造を示す分解斜視図。
【図６】本発明に係るベッド家具の第２実施形態を示す一部分解斜視図。
【図７】図６に示すベッド家具の底面側斜視図。
【図８】図６に示すベッド家具の収納家具としての使用状態を示す背面側斜視図。
【符号の説明】
【００４４】
Ｂ１  ベッド家具
１  収納体
１０  収納家具
１１、１２  棚箱
１１１  外板
１１２  内板
１１３  上板
１１４  下板
１１５  接地板
１１６  端板
１１７  端板
１１８  棚板
１１９  背面板
１２０  下面側収容部
１２１  補強部材
１２２  貫通孔
１２３  ネジ込具
１２４  貫通孔
１２５  ネジ込具
１２６  棚板
１２７  貫通孔
１２８  ネジ込具
１２９  上面側収容部
１３  ヘッドボード
１３ａ  ヘッドボード
１４  フットボード
２  床板
２１  通気孔
２２  貫通孔
Ｂ２  ベッド家具
１ｂ  収納体
１１ｂ、１２ｂ  棚箱
１０ｂ  収納家具
１３ｂ  ヘッドボード
１４ｂ  フットボード
１２０ｂ  下面側収容部
１２９ｂ  上面側収容部
１０１  脚板
１０２  脚板
１０３  ネジ込具
３  畳
【図１】
2008259587.tif 000003
【図２】
2008259587.tif 000004
【図３】
2008259587.tif 000005
【図４】
2008259587.tif 000006
【図５】
2008259587.tif 000007
【図６】
2008259587.tif 000008
【図７】
2008259587.tif 000009
【図８】
2008259587.tif 000010